【手続補正書】
【提出日】平成21年1月16日(2009.1.16)
【手続補正１】
【補正対象書類名】特許請求の範囲
【補正対象項目名】全文
【補正方法】変更
【補正の内容】
【特許請求の範囲】
【請求項１】
情報処理装置において少なくとも１つのオブジェクト画像を含む印刷レイアウトを表示装置に表示する描画方法であって、
画像が印刷される用紙の印刷可能領域の情報を取得する取得工程と、
前記表示装置に、前記用紙を示す領域を固定的に描画する第１の描画工程と、
前記第１の描画工程で描画された前記用紙を示す領域に対して、前記オブジェクト画像のレイアウト位置を設定する設定工程と、
前記取得工程で取得された前記印刷可能領域の情報に基づき、前記設定工程で設定されたレイアウト位置において、前記印刷可能領域の内と外とで、前記オブジェクト画像の表示形態を異ならしめて描画する第２の描画工程と
を有することを特徴とする描画方法。
【請求項２】
印刷可能領域内の前記オブジェクト画像の表示形態は、印刷可能領域外の前記オブジェクト画像の表示形態よりも実際の印刷色に近いことを特徴とする請求項１に記載の描画方法。
【請求項３】
前記印刷可能領域外の前記オブジェクト画像の表示形態は、前記印刷可能領域内の前記オブジェクト画像の表示形態よりも輝度を落とすことを特徴とする請求項１または２に記載の描画方法。
【請求項４】
前記表示装置に表示されている前記用紙を示す領域上で、前記オブジェクト画像のレイアウト位置を変更する変更工程を更に有し、
前記第２の描画工程は、前記変更工程でのレイアウト位置の変更に応じて、描画を更新することを特徴とする請求項１乃至３のいずれか１項に記載の描画方法。
【請求項５】
前記第２の描画工程は、前記表示装置に表示されるオブジェクト画像のうち、前記印刷可能領域外の部分を、前記用紙の色を用いて描画する第３の描画工程を更に有することを特徴とする請求項１に記載の描画方法。
【請求項６】
情報処理装置において編集中の少なくとも１つのオブジェクト画像を含む印刷レイアウトを、表示装置に表示するための描画方法であって、
画像が印刷される用紙について、余白領域を含む情報を取得する取得工程と、
前記表示装置に、前記用紙を示す領域を固定的に描画する第１の描画工程と、
前記第１の描画工程で描画された前記用紙を示す領域に対して、前記オブジェクト画像のレイアウト位置を設定する設定工程と、
前記取得工程で取得された前記余白領域の情報に基づき、前記設定工程で設定されたレイアウト位置において、前記余白領域の内と外とで、前記オブジェクト画像の表示形態を異ならしめて描画する第２の描画工程と
を有することを特徴とする描画方法。
【請求項７】
前記第２の描画工程は、前記余白領域に表示されるオブジェクト画像を前記用紙の色を用いて描画する第３の描画工程を含むことを特徴とする請求項６に記載の描画方法。
【請求項８】
情報処理装置において編集中の少なくとも１つのオブジェクト画像を含む印刷レイアウトを、表示装置に表示するための描画方法であって、
画像が印刷される用紙について、余白領域を含む情報を取得する取得工程と、
前記表示装置に、前記用紙を示す領域を固定的に描画する第１の描画工程と、
前記第１の描画工程で描画された前記用紙を示す領域に対して、前記オブジェクト画像のレイアウト位置を設定する設定工程と、
前記取得工程で取得された余白領域の情報に基づき、前記設定工程で設定されたオブジェクト画像のレイアウト位置において、前記用紙を示す領域内における前記余白領域の外と前記用紙領域外とで、前記オブジェクト画像の表示形態を異ならしめて描画し、前記余白領域にある前記オブジェクト画像は描画しないように制御する第２の描画工程と
を有することを特徴とする描画方法。
【請求項９】
前記第２の描画工程では、前記用紙を示す領域内における前記余白領域の外の前記オブジェクト画像の表示形態は、前記用紙を示す領域外の前記オブジェクト画像の表示形態よりも実際の印刷色に近い事を特徴とする請求項８に記載の描画方法。
【請求項１０】
前記用紙を示す領域外の前記オブジェクト画像の表示形態は、前記オブジェクト画像の彩度を無彩色に近づける処理、前記オブジェクト画像の輝度を下げる処理または前記オブジェクト画像の明度を上げる処理の、少なくともいずれかを行ったものであることを特徴とする請求項８または９に記載の描画方法。
【請求項１１】
二つ折り印刷をするか否かを判断する工程と、
二つ折り印刷を行う場合に、印刷する用紙の折り曲げ線を中心とする予め設定された折目領域を取得する工程とを更に有し、
前記第２の描画工程では、前記折目領域に対して前記印刷可能領域外と同様に描画を行うことを特徴とする請求項１に記載の描画方法。
【請求項１２】
二つ折り印刷をするか否かを判断する工程と、
二つ折り印刷を行う場合に、印刷する用紙の折り曲げ線を中心とする予め設定された折目領域を取得する工程とを更に有し、
前記第２の描画工程では、前記折目領域に対して前記余白領域と同様に描画を行うことを特徴とする請求項６または８に記載の描画方法。
【請求項１３】
前記オブジェクト画像の描画は、用紙のサイズの変更、印刷するプリンタの変更、及び、ファイルの編集が行われる度に更新されることを特徴とする請求項１乃至１２のいずれか１項に記載の描画方法。
【請求項１４】
少なくとも１つのオブジェクト画像を含む印刷レイアウトを表示装置に表示する画像処理装置であって、
画像が印刷される用紙の印刷可能領域の情報を取得する取得手段と、
前記表示装置に、前記用紙を示す領域を固定的に描画する第１の描画手段と、
前記第１の描画手段で描画された前記用紙を示す領域に対して、前記オブジェクト画像のレイアウト位置を設定する設定手段と、
前記取得手段で取得された前記印刷可能領域の情報に基づき、前記設定手段で設定されたレイアウト位置において、前記印刷可能領域の内と外とで、前記オブジェクト画像の表示形態を異ならしめて描画する第２の描画手段と
を有することを特徴とする画像処理装置。
【請求項１５】
編集中の少なくとも１つのオブジェクト画像を含む印刷レイアウトを、表示装置に表示するための画像処理装置であって、
画像が印刷される用紙について、余白領域を含む情報を取得する取得手段と、
前記表示装置に、前記用紙を示す領域を固定的に描画する第１の描画手段と、
前記第１の描画手段で描画された前記用紙を示す領域に対して、前記オブジェクト画像のレイアウト位置を設定する設定手段と、
前記取得手段で取得された前記余白領域の情報に基づき、前記設定手段で設定されたレイアウト位置において、前記余白領域の内と外とで、前記オブジェクト画像の表示形態を異ならしめて描画する第２の描画手段と
を有することを特徴とする画像処理装置。
【請求項１６】
編集中の少なくとも１つのオブジェクト画像を含む印刷レイアウトを、表示装置に表示するための画像処理装置であって、
画像が印刷される用紙について、余白領域を含む情報を取得する取得手段と、
前記表示装置に前記用紙を示す領域を固定的に描画する第１の描画手段と、
前記第１の描画手段で描画された前記用紙を示す領域に対して、前記オブジェクト画像のレイアウト位置を設定する設定手段と、
前記取得手段で取得された余白領域の情報に基づき、前記設定手段で設定されたオブジェクト画像のレイアウト位置において、前記用紙を示す領域内における前記余白領域の外と前記用紙領域外とで、前記オブジェクト画像の表示形態を異ならしめて描画し、前記余白領域にある前記オブジェクト画像は描画しないように制御する第２の描画手段と
を有することを特徴とする画像処理装置。
【請求項１７】
請求項１乃至１３のいずれか１項に記載の描画方法の各工程を実現するためのプログラムコードを有することを特徴とする情報処理装置が実行可能なプログラム。
【請求項１８】
情報処理装置が実行可能なプログラムであって、前記プログラムを実行した情報処理装置を、請求項１４乃至１６のいずれか１項に記載の画像処理装置として機能させることを特徴とするプログラム。
【請求項１９】
請求項１７又は１８に記載のプログラムを記憶したことを特徴とする情報処理装置が読み取り可能な記憶媒体。
【手続補正２】
【補正対象書類名】明細書
【補正対象項目名】００１１
【補正方法】変更
【補正の内容】
【００１１】
上記目的を達成するために、情報処理装置において少なくとも１つのオブジェクト画像を含む印刷レイアウトを表示装置に表示する本発明の描画方法は、画像が印刷される用紙の印刷可能領域の情報を取得する取得工程と、前記表示装置に、前記用紙を示す領域を固定的に描画する第１の描画工程と、前記第１の描画工程で描画された前記用紙を示す領域に対して、前記オブジェクト画像のレイアウト位置を設定する設定工程と、前記取得工程で取得された前記印刷可能領域の情報に基づき、前記設定工程で設定されたレイアウト位置において、前記印刷可能領域の内と外とで、前記オブジェクト画像の表示形態を異ならしめて描画する第２の描画工程とを有する。
【手続補正３】
【補正対象書類名】明細書
【補正対象項目名】００１２
【補正方法】変更
【補正の内容】
【００１２】
また、少なくとも１つのオブジェクト画像を含む印刷レイアウトを表示装置に表示する本発明の画像処理装置は、画像が印刷される用紙の印刷可能領域の情報を取得する取得手段と、前記表示装置に、前記用紙を示す領域を固定的に描画する第１の描画手段と、前記第１の描画手段で描画された前記用紙を示す領域に対して、前記オブジェクト画像のレイアウト位置を設定する設定手段と、前記取得手段で取得された前記印刷可能領域の情報に基づき、前記設定手段で設定されたレイアウト位置において、前記印刷可能領域の内と外とで、前記オブジェクト画像の表示形態を異ならしめて描画する第２の描画手段とを有する。
【手続補正４】
【補正対象書類名】明細書
【補正対象項目名】００１３
【補正方法】変更
【補正の内容】
【００１３】
また、別の構成によれば、情報処理装置において編集中の少なくとも１つのオブジェクト画像を含む印刷レイアウトを、表示装置に表示するための本発明の描画方法は、画像が印刷される用紙について、余白領域を含む情報を取得する取得工程と、前記表示装置に、前記用紙を示す領域を固定的に描画する第１の描画工程と、前記第１の描画工程で描画された前記用紙を示す領域に対して、前記オブジェクト画像のレイアウト位置を設定する設定工程と、前記取得工程で取得された前記余白領域の情報に基づき、前記設定工程で設定されたレイアウト位置において、前記余白領域の内と外とで、前記オブジェクト画像の表示形態を異ならしめて描画する第２の描画工程とを有する。
【手続補正５】
【補正対象書類名】明細書
【補正対象項目名】００１４
【補正方法】変更
【補正の内容】
【００１４】
また、編集中の少なくとも１つのオブジェクト画像を含む印刷レイアウトを、表示装置に表示するための本発明の画像処理装置は、画像が印刷される用紙について、余白領域を含む情報を取得する取得手段と、前記表示装置に、前記用紙を示す領域を固定的に描画する第１の描画手段と、前記第１の描画手段で描画された前記用紙を示す領域に対して、前記オブジェクト画像のレイアウト位置を設定する設定手段と、前記取得手段で取得された前記余白領域の情報に基づき、前記設定手段で設定されたレイアウト位置において、前記余白領域の内と外とで、前記オブジェクト画像の表示形態を異ならしめて描画する第２の描画手段とを有する。
【手続補正６】
【補正対象書類名】明細書
【補正対象項目名】００１５
【補正方法】変更
【補正の内容】
【００１５】
また、別の構成によれば、情報処理装置において編集中の少なくとも１つのオブジェクト画像を含む印刷レイアウトを、表示装置に表示するための本発明の描画方法は、画像が印刷される用紙について、余白領域を含む情報を取得する取得工程と、前記表示装置に、前記用紙を示す領域を固定的に描画する第１の描画工程と、前記第１の描画工程で描画された前記用紙を示す領域に対して、前記オブジェクト画像のレイアウト位置を設定する設定工程と、前記取得工程で取得された余白領域の情報に基づき、前記設定工程で設定されたオブジェクト画像のレイアウト位置において、前記用紙を示す領域内における前記余白領域の外と前記用紙領域外とで、前記オブジェクト画像の表示形態を異ならしめて描画し、前記余白領域にある前記オブジェクト画像は描画しないように制御する第２の描画工程とを有する。
【手続補正７】
【補正対象書類名】明細書
【補正対象項目名】００１６
【補正方法】変更
【補正の内容】
【００１６】
また、編集中の少なくとも１つのオブジェクト画像を含む印刷レイアウトを、表示装置に表示するための本発明の画像処理装置は、画像が印刷される用紙について、余白領域を含む情報を取得する取得手段と、
前記表示装置に前記用紙を示す領域を固定的に描画する第１の描画手段と、前記第１の描画手段で描画された前記用紙を示す領域に対して、前記オブジェクト画像のレイアウト位置を設定する設定手段と、前記取得手段で取得された余白領域の情報に基づき、前記設定手段で設定されたオブジェクト画像のレイアウト位置において、前記用紙を示す領域内における前記余白領域の外と前記用紙領域外とで、前記オブジェクト画像の表示形態を異ならしめて描画し、前記余白領域にある前記オブジェクト画像は描画しないように制御する第２の描画手段とを有する。